(57)【要約】【課題】形状の自由度が大きく、低コストであり、かつ取り扱いやすい意匠印刷シートを提供する。【解決手段】意匠印刷シートは、第１表面および第２表面を有する長尺形状のベースシートと、前記第１表面および前記第２表面の少なくとも一方の側に形成された意匠印刷層と、前記第１表面側に形成され、前記ベースシートの長手方向に沿って延びる、幅Ｗ１を有する帯状の粘着剤層と、前記第１表面側に、前記粘着剤層と隣接して設けられた粘着剤層非形成面部と、前記第２表面側に形成され、前記粘着剤層の位置と対応するように配された、幅Ｗ２を有する帯状の剥離剤層、とを備える。前記ベースシートの法線方向から見たときに、前記粘着剤層の全部が、前記剥離剤層と重なり合っている。【選択図】図１Ａ
2014164031.tif 000002
【特許請求の範囲】
【請求項１】
第１表面および第２表面を有する長尺形状のベースシートと、
前記第１表面および前記第２表面の少なくとも一方の側に形成された意匠印刷層と、
前記第１表面側に形成され、前記ベースシートの長手方向に沿って延びる、幅Ｗ1を有する帯状の粘着剤層と、
前記第１表面側に、前記粘着剤層と隣接して設けられた粘着剤層非形成面部と、
前記第２表面側に形成され、前記粘着剤層の位置と対応するように配された、幅Ｗ2を有する帯状の剥離剤層、とを備え、
前記ベースシートの法線方向から見たときに、前記粘着剤層の全部が、前記剥離剤層と重なり合っている、意匠印刷シート。
【請求項２】
前記剥離剤層が形成される、前記第２表面側に、前記意匠印刷層が形成されている、請求項１記載の意匠印刷シート。
【請求項３】
前記剥離剤層が、前記意匠印刷層の上に重ねて形成されている、請求項２記載の意匠印刷シート。
【請求項４】
前記粘着剤層が形成される、前記第１表面側に、前記意匠印刷層が形成されている、請求項１記載の意匠印刷シート。
【請求項５】
前記粘着剤層が、前記意匠印刷層の上に重ねて形成されている、請求項４記載の意匠印刷シート。
【請求項６】
前記第１表面が、前記ベースシートの長手方向に沿う一方の端部の近傍の第１帯状領域を有し、
前記第２表面が、前記ベースシートの長手方向に沿う他方の端部の近傍の第２帯状領域を有し、
前記ベースシートの少なくとも前記第１帯状領域と対応する部分が透明性を有し、
前記粘着剤層が前記第１帯状領域に形成され、
前記意匠印刷層が、前記第２帯状領域に形成されている、請求項２または４記載の意匠印刷シート。
【請求項７】
前記第１表面が、前記ベースシートの長手方向に沿う一方の端部の近傍の第１帯状領域を有し、
前記第２表面が、前記ベースシートの長手方向に沿う他方の端部の近傍の第２帯状領域を有し、
前記ベースシートの少なくとも前記第２帯状領域と対応する部分が透明性を有し、
前記粘着剤層が前記第１帯状領域に形成され、
前記意匠印刷層が、前記第２帯状領域に形成されており、前記第１表面の側から前記ベースシートを透かして見ることが予定されている図形を有している、請求項２または４記載の意匠印刷シート。
【請求項８】
前記意匠印刷層が、前記ベースシートの長手方向で周期的にパターンが変化する図形を含んでいる請求項１〜７のいずれか１項に記載の意匠印刷シート。
【請求項９】
前記ベースシートの長手方向に沿った２つの辺が、前記ベースシートの幅方向に進退する凸部および凹部の少なくとも一方を有する、請求項１〜８のいずれか１項に記載の意匠印刷シート。
【請求項１０】
前記粘着剤層の前記幅Ｗ1が、前記ベースシートの幅Ｗ3の５０％以下である、請求項１〜９のいずれか１項に記載の意匠印刷シート。
【請求項１１】
前記剥離剤層が、シリコーン樹脂を含む、請求項１〜１０のいずれか１項に記載の意匠印刷シート。
【請求項１２】
前記粘着剤層が、紫外線硬化性樹脂を含む、請求項１〜１１のいずれか１項に記載の意匠印刷シート。
【請求項１３】
前記ベースシートが、熱可塑性樹脂を含む、請求項１〜１２のいずれか１項に記載の意匠印刷シート。
【請求項１４】
前記熱可塑性樹脂が、ポリエチレンテレフタラートを含む、請求項１３記載の意匠印刷シート。
【請求項１５】
前記ベースシートが、長手方向に沿った所定の間隔毎に破断容易部を有する、請求項１〜１４のいずれか１項に記載の意匠印刷シート。
【請求項１６】
前記破断容易部がミシン目である、請求項１５記載の意匠印刷シート。
【請求項１７】
請求項１〜１６のいずれか１項に記載の意匠印刷シートを、前記粘着剤層と前記剥離剤層とが接触するように重ね合わせて、前記ベースシートの長手方向に沿って捲回されて構成される、ロール。
【発明の詳細な説明】
【技術分野】
【０００１】
本発明は、例えば、商店の陳列棚などに貼設して、商品の情報を表示することが可能な意匠印刷シートおよびこれを捲回したロールに関する。
【背景技術】
【０００２】
従来より、陳列商品の商品名、価格、販売促進用のイラスト等の情報を表示することを目的として、例えば、商品が陳列される陳列棚やショーケースに取り付ける広告板や広告シート等が用いられている（特許文献１〜３参照）。しかし、これらの広告板は複雑な形状を有するため、嵩高く、製造コストも大きくなる傾向がある。
【０００３】
そこで、商品の情報を表示可能なシール状の意匠印刷シートが広く利用されている。意匠印刷シートは、商品名、価格等の情報を含む文字および図形等を表示する意匠印刷層と、シートを陳列棚等の任意の場所に貼設するための粘着剤層とを有する。意匠印刷シートは、取り扱い性を容易とするという観点から、例えば、シートを捲回したロールとして製造される。特許文献４は、シートの表側の面に塗布された剥離剤層と、表側の面および／または裏側の面に塗布された接着剤層とを有する意匠印刷シートを提案している。
【先行技術文献】
【特許文献】
【０００４】
【特許文献１】実用新案登録第３０４１３８９号公報
【特許文献２】意匠登録第１４２４６８４号公報
【特許文献３】意匠登録第１４２４６８５号公報
【特許文献４】特表２００８−５２９０４８号公報
【発明の概要】
【発明が解決しようとする課題】
【０００５】
意匠印刷シートの裏面には、その全面に粘着剤層が配されることが一般的である。したがって、シートをロールにする場合には、剥離剤層も、意匠印刷シートの他方の面の全面に配されることとなる。しかし、離型剤として一般的に用いられる樹脂材料、なかでもシリコーン樹脂は比較的高コストである。すなわち、剥離剤層の面積が大きいほど、意匠印刷シートの製造コストは増大する。
【０００６】
また、上記の構成では、長尺形状の意匠印刷シートの２つの長辺が単なる直線ではない、凹凸を有する複雑な形状である場合（図１Ａ参照）には、そのような凹凸の部分にも粘着剤層が配されることとなる。このような意匠印刷シートを捲回してロールにすると、凹凸の部分に配された粘着剤層が剥離剤層とは対向せずに露出することがある。粘着剤層が剥離剤層と対向していない状態では、粘着剤層が使用者の手や周囲の物品に貼り付いてしまう。そこで、通常、単なる長方形ではない、複雑な形状を有する長尺の意匠印刷シートをロールにする場合には、粘着剤層を保護するために、シートを、その幅よりも大きい幅の台紙の上に貼り付けてからロールにする。ところが、そのような台紙を用いると、ロールの嵩が増大し、より大きな保管スペースが必要となるとともに、輸送コストも増大する。
【０００７】
そこで、本発明は、形状の自由度が大きく、低コストであり、かつ取り扱いやすい意匠印刷シートを提供することを目的とする。
【課題を解決するための手段】
【０００８】
本発明に係る意匠印刷シートは、第１表面および第２表面を有する長尺形状のベースシートと、
前記第１表面および前記第２表面の少なくとも一方の側に形成された意匠印刷層と、
前記第１表面側に形成され、前記ベースシートの長手方向に沿って延びる、幅Ｗ1を有する帯状の粘着剤層と、
前記第１表面側に、前記粘着剤層と隣接して設けられた粘着剤層非形成面部と、
前記第２表面側に形成され、前記粘着剤層の位置と対応するように配された、幅Ｗ2を有する帯状の剥離剤層、とを備え、
前記ベースシートの法線方向から見たときに、前記粘着剤層の全部が、前記剥離剤層と重なり合っている。
【０００９】
一方、本発明に係るロールは、上記の意匠印刷シートを、前記粘着剤層と前記剥離剤層とが接触するように重ね合わせて、前記ベースシートの長手方向に沿って捲回されて構成される。
【発明の効果】
【００１０】
本発明によれば、形状の自由度が大きく、低コストであり、かつ取り扱いやすい意匠印刷シートを提供することができる。さらに、本発明によれば、粘着剤層が、ベースシートの第１表面の一部分にだけ形成されていることから、意匠印刷シートを商店の棚等に設置するときに、粘着剤層に触れることなく設置することができる。このため、設置作業が容易となる。さらに、本発明によれば、粘着剤層が、ベースシートの第１表面の一部分にだけ形成されていることから、第１表面の全部に粘着剤層が形成されている場合と比較すると、意匠印刷シートを商店の棚等から撤去することも容易となる。また、粘着剤層に触れることなく意匠印刷シートを撤去することができる。
【図面の簡単な説明】
【００１１】
【図１Ａ】本発明の一実施形態に係る意匠印刷シートの構成を概略的に示す平面図である。
【図１Ｂ】その意匠印刷シートの底面図である。
【図１Ｃ】意匠印刷シートのＩｃ−Ｉｃ線による矢視断面図である。
【図２Ａ】本発明の一実施形態に係るロールの構成を概略的に示す斜視図である。
【図２Ｂ】ロールの最外周部を拡大した断面図である。
【図３】意匠印刷シートの具体的な使用方法の一例を示す斜視図である。
【図４】本発明の他の実施形態に係る意匠印刷シートの構成を概略的に示す断面図である。
【図５Ａ】本発明のさらに他の実施形態に係る意匠印刷シートの構成を概略的に示す平面図である。
【図５Ｂ】その意匠印刷シートの断面図である。
【図６】その意匠印刷シートの具体的な使用方法の一例を示す一部断面図である。
【図７】本発明のさらに他の実施形態に係る意匠印刷シートの具体的な使用方法の一例を示す一部断面図である。
【図８Ａ】意匠印刷層１２における印刷の向きの一例を示す概略平面図である。
【図８Ｂ】意匠印刷層１２における印刷の向きの他の一例を示す概略平面図である。
【発明を実施するための形態】
【００１２】
図１Ａは、本発明の一実施形態に係る意匠印刷シートの構成を概略的に示す平面図である。図１Ｂは意匠印刷シートの底面図であり、図１Ｃは図１ＡのＩｃ−Ｉｃ線による断面図である。
【００１３】
図示例の意匠印刷シート１０は、第１表面２１および第２表面２２を有する長尺形状のベースシート１１を含んでいる。ベースシート１１の例えば第２表面２２には意匠印刷層１２が形成されている。意匠印刷層１２には、商品名、価格、並びに、販売促進のための文字列、図柄、および記号等を表示することができる。以下、意匠印刷層１２の表示内容を図形１５と総称する。さらに、意匠印刷層１２は、第２表面２１の全部を覆うように形成することもできるし、第２表面２２の一部分を覆うように形成することもできる。図示例では、意匠印刷層１２は、第２表面２２の全部を覆っている。
【００１４】
意匠印刷層１２の図形１５は周期的なパターンで変化させることができる。そして、意匠印刷シート１０には、１周期のパターンの図形１５の長手方向の長さに対応する間隔で、切断容易部４１を形成することができる。切断容易部４１は、例えばミシン目を意匠印刷シート１０に形成することで、設けることができる。これにより、例えば１周期のパターンの図形１５毎に意匠印刷シート１０を切断して使用できるため、意匠印刷シート１０の取り扱い性が向上する。なお、切断容易部４１は、ベースシート１１のその部分に薄肉部を形成したり、強度の小さい素材をベースシート１１のその部分に使用したりすることで形成してもよい。
【００１５】
さらに、ベースシート１１の第１表面２１の側には、ベースシート１１の長手方向Ｘに沿って、ベースシート１１の一部を覆うように配された、帯状の粘着剤層１３が形成されている。粘着剤層１３の幅Ｗ１は、ベースシート１１の幅（最大幅）Ｗ３よりも小さい。図示例では、第１表面２１の粘着剤層１３が形成された部分の、ベースシート１１の幅方向Ｙの両側には、その部分と隣接して、粘着剤層非形成面部２３が形成されている。粘着剤層１３は、無色かつ透明、または、少なくとも透明であることが好ましい。
【００１６】
一方、ベースシート１１の第２表面２２の側には、粘着剤層１３の位置と対応するように配された、帯状の剥離剤層１４が形成されている。図示例では、剥離剤層１４は、意匠印刷層１２の上に重ねて形成されている。そして、第２表面２２の剥離剤層１４が形成された部分の幅方向Ｙの両側には、その部分と隣接して、剥離剤層非形成面部２４を形成することができる。なお、剥離剤層非形成面部２４は形成しないものとすることもできる。この場合には、剥離剤層１４の幅Ｗ２は、ベースシート１１の幅Ｗ３と等しくなる。そして、剥離剤層１４の幅Ｗ２は、粘着剤層１３の幅Ｗ１よりも大きくされている。その結果、ベースシート１１の法線方向から見たときに、粘着剤層１３の全部が、剥離剤層１４と重なり合っている。粘着剤層１３および剥離剤層１４は、それぞれの２つの長辺（長手方向Ｘに沿った辺）を全て略平行な直線とし、かつベースシート１１の法線方向から見たときに、粘着剤層１３の２つの長辺を、剥離剤層１４の２つの長辺で挟まれた領域内に位置させることが好ましい。剥離剤層１４は、無色かつ透明、または、少なくとも透明であることが好ましい。
【００１７】
また、ベースシート１１の長手方向Ｘに沿った２つの辺（以下、単に長辺という）２５および２６には、長辺２５および２６を幅方向Ｙに進退させるように凸部１６および凹部１７を設けることができる。凹部１７は、図１Ａに破線で示すように、粘着剤層１３および剥離剤層１４の形成領域に食い込ませるように設けることもできる。しかしながら、凹部１７は、粘着剤層１３および剥離剤層１４の形成領域と重ならないように設けるのが好ましい。図形１５の内容に応じた凸部１６および凹部１７を形成することで、より自由な図形１５のデザインが可能となり、意匠印刷シート１０を陳列棚等に貼設したときに、買い物客等に対して、より有効に商品をアピールすることができる。
【００１８】
図２Ａに、意匠印刷シートを捲回したロールを斜視図により示す。図示例のロール２０は、例えば意匠印刷シート１０の幅Ｗ３とほぼ等しい高さＷ４を有する円筒状の硬質の厚紙製の巻芯３１と、巻芯３１の外周面上に意匠印刷シート１０を長手方向に渦巻き状に捲回した捲回層３２とを有している。
【００１９】
図２Ｂに捲回層の最外層の近傍を拡大した、ロールの断面図を示す。捲回層３２においては、各層の意匠印刷シート１０の粘着剤層１３が下側（内周側）にあり、剥離剤層１４が上側（外周側）にある。そして、捲回層３２の最上層（第１層）の意匠印刷シート１０の粘着剤層１３は、その下の層（第２層）の意匠印刷シート１０の剥離剤層１４と全部が重なっている。そして、第２層の意匠印刷シート１０の粘着剤層１３は、その下の層（第３層）の意匠印刷シート１０の剥離剤層１４と全部が重なっている。
【００２０】
そのようにして、最下層の意匠印刷シート１０を除いて、意匠印刷シート１０の粘着剤層１３は、その下の層の意匠印刷シート１０の剥離剤層１４と全部が重なっている。これにより、粘着剤層１３を剥離剤層１４により保護するとともに、粘着剤層１３が意匠印刷層１２に貼り付くのを防ぐことができる。これにより、台紙等を用いずに意匠印刷シート１０だけでロール２０を構成することができる。したがって、意匠印刷シート１０の製造コストを低減することができる。なお、最下層の意匠印刷シート１０の粘着剤層１３と対応する、巻芯３１の外周面の領域に剥離剤層を設けることで、その粘着剤層１３を保護することもできる。
【００２１】
以上のように、粘着剤層１３は第２表面２２の一定の領域内にしか形成されていないために、粘着剤層１３に触れることなく、意匠印刷シート１０をロール２０から取り分けることができる。このため、意匠印刷シート１０の設置が容易となる。また、粘着剤層１３の面積が比較的に小さいことから、設置された意匠印刷シート１０を取り外すことも容易となる。商店の陳列棚では商品の入れ替えが頻繁に行われることもあり、そのような場合には、陳列棚における商品名の表示等も頻繁に差し替える必要がある。意匠印刷シート１０を使用することで、そのような場合にも、簡易に、商品名の表示や販売促進のための図柄を交代させることができる。
【００２２】
意匠印刷シート１０の陳列棚等への取り付けおよび取り外しを容易とするために、粘着剤層１３の幅Ｗ１は、ベースシート１１の幅Ｗ３の５０％以下とすることが好ましい。一方、意匠印刷シート１０の陳列棚等への十分な取り付け強度を確保するために、粘着剤層１３の幅Ｗ１は、ベースシート１１の幅Ｗ３の１０％以上とすることが好ましい。
【００２３】
剥離剤層１４の幅Ｗ２は、粘着剤層１３の幅Ｗ１よりも５ｍｍ以上大きいことが好ましい。例えば、剥離剤層１４の２つの長辺は、それぞれ、粘着剤層１３の２つの長辺の２．５ｍｍ以上外側に位置するのが好ましい。これにより、高精度の位置合わせを必要とすることなく、粘着剤層１３と剥離剤層１４とを容易に対向させて、意匠印刷シート１０を捲回してロール２０を構成することができる。
【００２４】
一方、剥離剤層１４の幅Ｗ２と粘着剤層１３の幅Ｗ１との差異を５ｍｍ以下とすることで、離型剤の使用量を抑えて、意匠印刷シート１０の製造コストを低減することができる。
【００２５】
ベースシート１１の素材としては、十分な強度を有し、かつ低コストである観点から、ポリエチレンテレフタラート（ＰＥＴ）、ポリエステル、ポリプロピレン、ポリ塩化ビニル等の樹脂製のシート、フィルム、紙等を用いることが好ましい。シートは単独の層からなるものであってもよく、複数の層を含むものであってもよい。ベースシート１１の厚さは、２５〜１５０μｍであることが好ましい。これにより、意匠印刷シート１０の強度と取り扱いやすさとを両立することができる。
【００２６】
粘着剤層１３は、所望の貼着箇所に対して十分な粘着性を発揮するものを適宜使用すればよい。なかでも、棚等の什器に対して適度な粘着性及び剥離性を備えることから、紫外線硬化性樹脂を含むことが好ましく、例えば、アクリル樹脂を主成分とするものを用いることがより好ましい。粘着剤層１３の厚さは、１５〜２５μｍであることが好ましい。粘着剤層の厚さを１５μｍ以上とすることで、十分な粘着力を確保しやすくなる。２５μｍ以下とすることで、使用した意匠印刷シートを棚等から剥離する際に、棚等への粘着剤の残留を効果的に防ぐことができる。
【００２７】
剥離剤層１４は、粘着剤層１３の粘着性を保持しつつ、粘着剤層１３を保護する機能を有する。また、粘着剤層１３がベースシート１１に粘着することを防止する。剥離剤層１４の材料は、上記の機能を十分に発揮できるものであれば特に限定されないが、優れた離型性を有することから、シリコーン樹脂を用いることが好ましい。シリコーン樹脂は比較的高コストであるが、本発明によれば剥離剤層１４をベースシート１１の第２表面２２の全部に形成することは必須ではなく、剥離剤層１４の面積を小さくすることができる。このため、コストを低減することができる。剥離剤層１４の厚さは、０．３〜３μｍであることが好ましい。これにより、粘着剤層１３を保護する機能を十分に発揮させつつ、コストを低減することができる。
【００２８】
意匠印刷シート１０は、例えば、図３に示すように、商品５１が陳列される店舗の陳列棚５２の前面の化粧板５３に貼設して使用することができる。
【００２９】
（実施形態２）
次に、本発明の他の実施形態を説明する。図４に、本発明の他の実施形態に係る意匠印刷シートの概略構成を、図１Ｃと同様の断面図により示す。図示例の意匠印刷シート１０Ａにおいては、意匠印刷層１２は、剥離剤層１４が設けられた第２表面２２の側にではなく、粘着剤層１３が設けられた第１表面２１の側に形成されている。また、粘着剤層１３は、第１表面２１に直接的に形成されるのではなく、第１表面２１の上に設けられた意匠印刷層１２の上に、意匠印刷層１２と重ねて形成されている。意匠印刷シート１０Ａの上記以外の構成は、実施形態１と同様である。また、意匠印刷シート１０Ａを渦巻き状に捲回して構成されるロールも、図２Ａのロール２０と同様に構成することができる。ただし、そのロールにおいて、意匠印刷層１２は、意匠印刷シート１０Ａの外周側の面にではなく、内周側の面に配置される。
【００３０】
実施形態２によれば、例えばショーウインドウのガラスに意匠印刷シート１０Ａを粘着剤層１３により貼設することで、ガラス（透明な素材）を通して、商品名や、商品の販売促進のための図柄を買い物客等に提示することができる。このため、意匠印刷シート１０Ａを設ける位置を自由に選択することができ、買い物客等に対するアピールをより効果的に行うことができる。
【００３１】
（実施形態３）
次に、本発明のさらに他の実施形態を説明する。図５Ａに、本発明のさらに他の実施形態に係る意匠印刷シートの概略構成を平面図により示す。図５Ｂに、その意匠印刷シートの概略構成を断面図により示す。図示例の意匠印刷シート１０Ｂは、実施形態１の意匠印刷シート１０を改変したものであり、ベースシート１１Ａは、少なくとも一部分が透明性を有している。そして、粘着剤層１３は、ベースシート１１Ａの、意匠印刷層１２と重なる部分にではなく、意匠印刷層１２が形成されていない、ベースシート１１Ａの１つの長辺に沿った領域に形成されている。なお、一部分であれば、意匠印刷層１２の形成領域と粘着剤層１３の形成領域とを重ねることもできる。
【００３２】
また、剥離剤層１４も、意匠印刷層１２の上にではなく、粘着剤層１３と同様に、意匠印刷層１２が形成されていない、ベースシート１１Ａの１つの長辺に沿った領域に形成されている。なお、一部分であれば、意匠印刷層１２の形成領域と剥離剤層１４の形成領域とを重ねることもできる。以上のこと以外は、意匠印刷シート１０Ｂの構成は、実施形態１と同様である。また、意匠印刷シート１０Ｂを渦巻き状に捲回して構成されるロールも、図２Ａのロール２０と同様に構成することができる。ただし、粘着剤層１３および剥離剤層１４は、ロールの高さ方向の中央部ではなく、端部に配置される。
【００３３】
この実施形態によれば、図６に示すように、少なくとも、例えばベースシート１１Ａの上記の１つの長辺に沿った領域ＡＲ１を透明にすることで、陳列棚５２の化粧板５３の前面に他の情報（例えば商品の価格）ＡＲ２が表示されている場合にも、その情報を意匠印刷シート１０Ｂにより隠すことなく、意匠印刷シート１０Ｂを設置することができる。
【００３４】
（実施形態４）
次に、本発明のさらに他の実施形態を説明する。この実施形態の意匠印刷シート１０Ｃは、実施形態３を改変したものであり、意匠印刷シート１０Ｂと外観は類似しているので、図５Ａおよび図５Ｂを流用して説明する。意匠印刷シート１０Ｃは、その意匠印刷層１２Ａにおける印刷の向きが、意匠印刷シート１０Ｂの意匠印刷層１２とは異なっている。意匠印刷シート１０Ｂの意匠印刷層１２における印刷の向きは、図８Ａに示すように、意匠印刷層１２を図５Ｂの上の方から見たときに、意図した図形（意図図形）３４が見えるようになっている。これにより、図６の矢印の向きの視線で意図図形３４が見える。
【００３５】
これに対して、意匠印刷層１２Ａは、図８Ｂに示すように、意匠印刷層１２Ａを図５Ｂの上の方から見ると、意図図形３４とは左右が入れ替わっている逆向き図形３５が見えるように、印刷されている。これと対応して、意匠印刷シート１０Ｃにおいては、少なくともベースシート１１Ａの意匠印刷層１２Ａと対応する部分ＡＲ３（図７参照）は透明性を有する素材が使用される。その結果、図７の矢印の向きの視線でベースシート１１Ａを透かして意図図形３４を見ることができる。
【００３６】
この実施形態によれば、例えば図７に示すように、陳列棚５２の前面の化粧板５３の前側の面に他の情報が表示されている場合にも、化粧板５３の裏側に粘着剤層１３を貼り付けて意匠印刷シート１０Ｂを設置することができる。これにより、ベースシート１１Ａを透かして意図図形３４を買い物客等に表示することができる。これにより、意匠印刷シートの設置の自由度を増大させることができる。
【００３７】
以上、本発明を実施形態により説明したが、本発明は上記の実施形態に限られない。例えば、実施形態３の図６、図５Ａ、および図５Ｂに示した例では、意匠印刷層１２が第２表面２２の側（化粧板５３に対して前側）に配されているが、これに限られず、第１表面２１の側（化粧板５３に対して後側）に意匠印刷層１２Ａを配置することもできる。このとき、ベースシート１１Ａの意匠印刷層１２Ａと対応する領域（ＡＲ３）を透明にすることで、ベースシート１１Ａを透かして、買い物客等に意図図形３４を表示することができる。
【００３８】
さらに、例えば、実施形態４の図７、図５Ａ、および図５Ｂに示した例では、意匠印刷層１２Ａが第２表面２２の側（化粧板５３に対して後側）に配されているが、これに限られず、第１表面２１の側（化粧板５３に対して前側）に意匠印刷層１２を配置することもできる。このとき、意匠印刷層１２と対応する領域（ＡＲ３）は特に透明にすることなく、意図図形３４を直接に買い物客等に表示することができる。
【産業上の利用可能性】
【００３９】
本発明に係る意匠印刷シートは、例えば、商品が陳列される店舗の陳列棚やショーケースに対して使用することができる。
【符号の説明】
【００４０】
５  図形
１０、１０Ａ〜１０Ｃ  意匠印刷シート
１１、１１Ａ  ベースシート
１２、１２Ａ  印刷層
１３  粘着剤層
１４  剥離剤層
１５  図形
１６  凸部
１７  凹部
２０  ロール
３４  意図図形
３５  逆向き図形
４１  破断容易部
【図１Ａ】
2014164031.tif 000003
【図１Ｂ】
2014164031.tif 000004
【図１Ｃ】
2014164031.tif 000005
【図２Ａ】
2014164031.tif 000006
【図２Ｂ】
2014164031.tif 000007
【図３】
2014164031.tif 000008
【図４】
2014164031.tif 000009
【図５Ａ】
2014164031.tif 000010
【図５Ｂ】
2014164031.tif 000011
【図６】
2014164031.tif 000012
【図７】
2014164031.tif 000013
【図８Ａ】
2014164031.tif 000014
【図８Ｂ】
2014164031.tif 000015